(57)【要約】【課題】各種シャベルを用いた作業時に、腰や背中、肩等の負担を軽減できるシャベル用補助具及びこのシャベル用補助具を用いたシャベルを提供する。【解決手段】シャベル用補助具を、シャベルの柄部へ取り付けられる取付手段と、この取付手段に取り付けられる引きベルトとで構成し、取付手段を、前記シャベルの柄部に対する取付部と、この取付部から前記シャベルの掬い部内に達する延長部材とを有するものと成し、前記引きベルトを、長さ調節手段を備えると共に、一端部側を前記延長部材の先端側へ取り付け、他端部側に手首に巻き付けて握ることのできる巻付け握り部が設けることで解決し、シャベルは、前記シャベル用補助具を取り付けることで解決した。【選択図】図２
2018145625.tif 000002
【特許請求の範囲】
【請求項１】
シャベルの柄部へ取り付けられる取付手段と、この取付手段に取り付けられる引きベルトとから成り、
前記取付手段は、前記シャベルの柄部に対する取付部と、この取付部から前記シャベルの掬い部内に達する延長部材とを有するものとし、
前記引きベルトは、長さ調節手段を備えると共に、一端部側を前記延長部材の先端側へ取り付け、他端部側に手首に巻き付けて握ることのできる巻付け握り部が設けられていることを特徴とする、シャベル用補助具。
【請求項２】
前記取付部は、前記シャベルの柄部へ挟持固定される一対の挟持部材を有し、前記延長部材は、掬い部内に達し先端に前記引きベルトを取り付ける延長部と前記挟持部材へ取り付けられるホルダー部を有するものとしたことを特徴とする、請求項１に記載のシャベル用補助具。
【請求項３】
前記延長部材の先端は、前記掬い部の中央部より手前で柄部より前記掬い部の中央部側に位置することを特徴とする、請求項１に記載のシャベル用補助具。
【請求項４】
前記各挟持部材は、組み合わさることによって係合ガイド凸条部形成されると共に、一対の係止突起が設けられ、前記ホルダー部には前記係合ガイド凸条部とスライド係合する係合ガイド溝部と前記係止突起に係合される係合孔が設けられていることを特徴とする、請求項２に記載のシャベル用補助具。
【請求項５】
前記引きベルトは、前記延長部材側に取り付けられる第１ベルトと、この第１ベルトに連結手段を介して連結されるところの前記巻付け握り部を設けた第２ベルトとで構成し、前記第１ベルト及び又は第２ベルトには長さ調節手段が設けられていることを特徴とする、請求項１乃至４のいずれか１項に記載のシャベル用補助具。
【請求項６】
前記第２ベルトは表面側が手や手首にやさしい軟質材料で覆われていることを特徴とする、請求項１乃至５のいずれか１項に記載のシャベル用補助具。
【請求項７】
前記請求項１乃至６のいずれか１項に記載のシャベル用補助具を備えたことを特徴とする、シャベル。
【発明の詳細な説明】
【技術分野】
【０００１】
本発明は、シャベル用補助具及びこれを備えたシャベルに関し、とくにシャベルを用いての雪掻きや路上における堆積物の移動除去作業（片付け作業）の際に当該シャベルに取り付けて用いて好適なシャベル用補助具及びこれを備えたシャベルに関する。
【背景技術】
【０００２】
とくに雪掻き作業等においては、腰や背骨をかがめた状態から、シャベルを雪や雪と路上との間に差し込み、腰や背骨を伸ばすと同時に腕の力を利用して、掬い部に乗せた雪を持ち上げて運んだり、遠くへ放ったりしている。そのため、腰、背骨、背筋等に過大な負担が掛かり、疲労が蓄積して腰痛になってしまったり、さらには無理がたたって腰を傷めてしまうことが多かった。同様なことは、路上に堆積したさまざまな堆積物を片付ける際にも生じていた。
【０００３】
上記問題点を解消するための各種シャベルやシャベル用補助具が、例えば下記特許文献１〜５に開示されている。しかしながら、特許文献１に記載の「引き上げ綱付きシャベル」においては、その引き上げ綱をシャベルに取り付けるための綱取り付け用器具はシャベルの柄部の掬い部の手前に固着されており、力点のかかる位置が掬い部から距離があるため、持ち上げる際に重量をあまり減殺できないという問題がある上に、シャベルの柄部に予め固着されるものであることから、そのような専用のシャベルを用いないと引き上げ綱を取り付けることができないという問題があった。また、特許文献２に記載の「雪掻き専用の補助グリップ」において開示されている補助グリップは、それ自体の長さが短いため、腰を曲げずに雪掻きができるようにするには、その補助グリップをシャベルの柄のかなり高い位置に取り付ける必要があり、そうすると雪を持ち上げるときに補助グリップを握った手に掛かる雪の重さによるモーメントが大きくなって、作業に大きな力を必要とするという問題があった。また、特許文献３〜５により開示されているシャベルや補助具は、比較的長いパイプ等を用いた大掛かりなものであり、嵩ばったり、手軽で簡便には使用できないという問題点があった。
【先行技術文献】
【特許文献】
【０００４】
【特許文献１】実開昭５４−５８８０１号公報
【特許文献２】実用新案登録第３１０１１８３号公報
【特許文献３】特開２００３−１０５７２７号公報
【特許文献４】特開２００５−１４６８２４号公報
【特許文献５】実開昭５９−１２１０５３号公報
【発明の概要】
【発明が解決しようとする課題】
【０００５】
本発明は、上記問題点を解決するためなされたものであり、その目的とするところは、雪掻き作業や路上に堆積した堆積物の片付け作業時に、腰を伸ばした状態で作業をすることができるシャベル用補助具及びこれを備えたシャベルを提供せんとするにある。
【課題を解決するための手段】
【０００６】
上記の課題を解決するため、請求項１に係るシャベル用補助具は、シャベルの柄部へ取り付けられる取付手段と、この取付手段に取り付けられる引きベルトとから成り、前記取付手段は、前記シャベルの柄部に対する取付部と、この取付部から前記シャベルの掬い部内に達する延長部材とを有するものとし、前記引きベルトは、長さ調節手段を備えると共に、一端部側を前記延長部材の先端側へ取り付け、他端部側に手首に巻き付けて握ることのできる巻付け握り部が設けられていることを特徴とする。
【０００７】
その際に、前記取付部は、前記シャベルの柄部へ挟持固定される一対の挟持部材を有するものとし、前記延長部材は、掬い部内に達し先端に前記引きベルトを取り付ける延長部と前記挟持部材へ取り付けられるホルダー部を有するものとしたことを特徴とする。
【０００８】
さらに、前記延長部材の先端を、前記掬い部の中央部より手前で柄部より前記掬い部の中央部側に位置するように構成したことを特徴とする。
【０００９】
さらに、前記挟持部材に係合ガイド凸条部と一対の係止突起を設け、前記ホルダー部に前記係合ガイド凸条部とスライド係合する係合ガイド溝部と前記係止突起に係合される係止孔を設けたことを特徴とする。
【００１０】
さらに、前記引きベルトを、前記延長部材側に取り付けられる第１ベルトと、この第１ベルトに連結され前記巻き付巻付け握り部を設けた第２ベルトとで構成し、前記第１ベルト及び又は第２ベルトには長さ調節手段を設けたことを特徴とする。
【００１１】
さらに、前記第２ベルトの表面側が手や手首にやさしい軟質材料で覆われていることを特徴とする。
【００１２】
そして、上記に記載のシャベル用補助具を備えたシャベルであることを特徴とする。
【発明の効果】
【００１３】
本発明の上記構成を有するシャベル用補助具によるときは、その取付手段を、シャベルの柄部の先端側へ取り付け、或は初めから柄部に取付手段が取り付けられている場合はそのままで、使用者は、片方の手でシャベルの柄部の手持ち部を持ち、もう一方の手で引きベルトの巻付け握り部を持った状態で、腰を曲げることなくシャベルの掬い部を雪や堆積物の中へ水平に突き入れ、掬い部の上に雪や堆積物を乗せたら、腰を曲げることなく、一方の手と腕で引きベルトを引き上げつつもう一方の手と腕でシャベルを持ち上げ、所望の場所まで持ち運んだり、投棄したりすることができるので、腰に負担をかけることなく作業をすることが可能となる。
【００１４】
その際に、引きベルトを取付けた延長部材の先端が掬い部側へ突出しているので、力点が掬い部の側にあることから、軽い力で雪や堆積物を乗せた掬い部を持ち上げることができるものである。
【００１５】
また、本発明のシャベル用補助具は、取付手段の取付部を構成する一対の挟持部材により、シャベルの柄部を挟み付ける形でシャベルの柄部へ着脱可能に固定できるため、単品で販売されても、一般に売られている各種形態のシャベルの柄部に簡単に取り付けることができるという効果を奏し得るものである。
【００１６】
さらに、本発明に係るシャベルによる時には、使用時に腰や背中や肩に過度な負担をかけないシャベルを提供できるものである。
【図面の簡単な説明】
【００１７】
【図１】本発明に係るシャベル用補助具を取り付けたシャベルを示し、（ａ）はその正面図、（ｂ）はその背面図である。
【図２】本発明に係るシャベル用補助具の引きベルトをシャベルの柄部に固定している係止バンドを外して引きベルトを伸ばして見た状態を示し、（ａ）はその正面図、（ｂ）はその側面図である。
【図３】図２の（ｂ）図におけるＡ−Ａ線断面図である。
【図４】本発明に係る取付部を示し、(ａ)は取付部の挟持部材の展開図、(ｂ)は各挟持部材を合わせて見た平面図、
【図５】本発明に係るシャベル用補助具の取付部と延長部材との間の係合手順を説明する説明図であり、（ａ）は係合前、（ｂ）は係合途中、（ｃ）は係合終了後を示している。
【図６】連結手段の部分を説明する部分的断面図である。
【図７】延長部材の延長部の先端へ第１ベルトの一端部を取り付けた状態の断面図である。
【図８】引きベルトのうちの第２ベルトの巻付け握り部を手首に巻き付けた上で手で握った状態を説明する説明図である。
【図９】本発明に係るシャベル用補助具を取り付けたシャベルの使用方法を説明する説明図である。
【図１０】本発明に係るシャベル用補助具を取り付けたシャベルの使用方法を説明する説明図である。
【発明を実施するための形態】
【００１８】
以下、本発明に係るシャベル用補助具及びこのシャベル用補助具を用いたシャベルの好適な実施例を図面に基づいて詳細に説明する。とくに図１〜図２において、シャベル５は実施例のものは公知構成の雪掻き用のものであり、柄部５１と、この柄部５１の一端部側に取り付けた先端の歯部５２ａが直線状である掬い部５２と、柄部５１の他端部側に設けられた手持ち部５３から成り、柄部５１は例えばパイプ状を呈したアルミかステンレスなどの金属製か、木製などである。掬い部５２はアルミかステンレスなどの金属製がほとんどであるが、合成樹脂製のものもある。このシャベル５の柄部５１に本発明に係るシャベル用補助具１が取り付けられている。なお、各図中、同一の指示記号を付したものは同一の構成部材を示している。
【００１９】
シャベル用補助具１は、図示する如く、シャベル５の柄部５１に着脱可能に取り付けられる取付手段２と、この取付手段２に取り付けられる引きベルト３とから成り、取付手段２は、実施例ではシャベル５の柄部５１に対する取付部２３と、この取付部２３から前記シャベル５の掬い部５２内に達する延長部材２５とで構成されている。引きベルト３は、それぞれの一端部側を例えばバックルなどの連結手段４で連結された第１ベルト３１と第２ベルト３２から成り、第１ベルト３１はその他端部３１ｂ側を連結手段４に設けた長さ調節手段６を介して長さ調節可能に取り付けられている。第１ベルト３１の一端部３１ａ側は延長部材２５の延長部２５ｂの先端に設けた先端取付部２５ｆに取り付けられており、第２ベルト３２の他端部側には手首に巻き付けた状態で握ることのできる巻付け握り部３２ａが設けられている。なお、取付手段２は、取付部２３とこの取付部２３に対し着脱可能に取り付けられる延長部材２５の２部材で構成されているが、一体的に構成してもよい。
【００２０】
取付部２３は一対の挟持部材２１、２２と締付手段２ｂとから成り、この挟持部材２１、２２は、図３に示すように、シャベル５の柄部５１の掬い部５２側を両側から挟んで固定するもので、内側にそれぞれ柄部５１を左右から覆う湾曲凹部２１ａ、２２ａが形成されるとともに、柄部５１を挟んだ状態で上部に断面略Ｔ字形状の係合ガイド凸条部２ａが形成され、下部側に締付手段２ｂを構成する締付けネジ２ｃが取り付けられている。各挟持部材２１、２２の外側にはそれぞれさらに一対の係止突起２１ｂ、２２ｂが設けられている。シャベル５の柄部５１に対する取り付け時には、挟持部材２１、２２の内側の湾曲凹部２１ａ、２２ａと柄部５１の外周面との間に、パッキング２６、２７を介在させた状態で取り付けることが望ましい。挟持部材２１、２２は、ＡＢＳ樹脂のような機械的強度の強い合成樹脂、或はステンレスのような金属などによって作成される。
【００２１】
延長部材２５は、そのホルダー部２５ａと延長部２５ｂから成り、ホルダー部２５ａを一対の挟持部材２１、２２から成る取付部２３へ着脱可能に取り付けると共に、延長部２５ｂの先端側を掬い部５２内部に達するところまで延長させてある。そして、延長部材２５は、ホルダー部２５ａに設けた略Ｔ字形状の係合ガイド溝部２５ｃを、取付部２３を構成する一対の挟持部材２１、２２で形成させた係合ガイド凸条部２ａと係合させると共に、その外側に設けた一対の係止突起２１ｂ、２２ｂをホルダー部２５ａの係止孔２５ｄ、２５ｅへ係合させることにより、取付部２３へしっかりと固定される構成である。この延長部材２５の材料は、取付部２３と同じＡＢＳ樹脂やアルミやステンレスを用いることができる。
【００２２】
延長部材２５の延長部２５ｂの先端は、掬い部５２の柄部５１から略４分の１の位置まで延長されているが、この延長位置に特に限定はない。しかしながら、掬い部５２の約半分程度までが望ましい。このように、延長部材２５の延長部２５ｂの先端を掬い部５２内まで延長させると、掬い部５２上に乗せた雪や堆積物を持ち上げる際に力点が重量のかかる掬い部５２側に移動する結果、軽い力で掬い部５２を持ち上げることが可能となる。
【００２３】
引きベルト３は、実施例では、各一端部を連結手段４で連結させた第１ベル３１と第２ベルト３２で構成されると共に、第１ベルト３１の一端部３１ａを取付手段２の延長部材２５の延長部２５ｂの先端取付部２５ｆに取り付けた係止ピン２５ｇへ取り付け、第２ベルト３２の他端部側には手首に巻き付けて手で握る巻付け握り部３２ａが設けられている。さらに第２ベルトに３２には、不使用時に引きベルト３をシャベル５の柄部５１に巻き付けておく面ファスナー付きの係止バンド３３が取り付けられている。連結手段４は、とくに図２、図６及び図８に示したように、平面略矩形を呈した枠体４ａと、この枠体４ａの中央部に取り付けた連結ピン４ｂを有するものであり、実施例では第２ベルト３２の一端部側は、連結ピン４ｂに取り付けてあり、第２ベルト３２はその一端部３２ｄ側が枠体４ａの下部枠部材４ｃの下側を通って連結ピン４ｂの上側を通り、さらに上側の上部枠部材４ｄの下側を通って連結ピン４ｂの上側から下部枠部材４ｃの下側を通るように構成されている。したがって、第１ベルト３１の長さ調節手段６は枠体４ａ、連結ピン４ｂ、下部枠部材４ｃ、及び上部枠部材４ｄで構成されている。この長さ調節手段６により、第１ベルト３１は長さ調節可能である。尚、上記した引きベルト３の構成と連結手段４は一例であって、実施例のものに限定されない。引きベルト３を分割せず１本のものとして、その一端部側を延長部２５ｂの先端で折り返し、バックルなどの手段によって長さ調節可能に構成しても良く、引きベルト３を第１ベルト３１と第２ベルト３２に分割した場合でも転結手段４と長さ調節手段６の構成は図示したものに限定されない。要するにこの場合には第１ベルト３１或は第２ベルト３２のいずれか一方或は双方が長さ調節可能に構成されれば足りる。
【００２４】
巻付け握り部３２ａは、第２ベルト３２の他端部側に筒状に挿通係合部３２ｃを設け、この挿通係合部３２ｃに第２ベルト３２を通して形成したものであるが、第２ベルト３２を折り返してその中へ第２ベルト３２自身を通すことによって形成させても良い。また、この実施例の場合第２ベルト３２を長さ調節可能に構成しても良い。さらに、引きベルト３を構成する材料は強度のあるポリプロピレン系の素材を用いたものや、その他の繊維や布製、革製、さらに他の公知の材料で構成したものでもよい。第２ベルト３２側に設けた巻付け握り部３２ａには、手や手首に対する当たりをよくするために軟質繊維製のカバー３２ｂを取り付けてある。
【００２５】
次に、シャベル５への取付手段２の取付方法について説明する。取付手段２をシャベル５の柄部５１に取り付ける際には、まず、シャベル５の柄部５１の掬い部５２側の部分の外側を一対の挟持部材２１、２２で挟んだ状態でセットする。次いで、一対の挟持部材２１、２２の下部同士を締付手段２ｂの締付ネジ２ｃとナット２ｄで仮止めする。なお、その際、挟持部材２１、２２の湾曲凹部２１ａ、２２ａとシャベル５の柄部５１の外周面との間には、図３に示したように、パッキング２６、２７を介在させた状態で取り付けることが望ましい。次いで、図５の(ａ)に示したように、挟持部材２１と２２の係合ガイド凸条部２ａの先端へ、延長部材２５のホルダー部２５ａに設けた係合ガイド溝部２５ｃをあてがい手持ち部５３の側へ押すか、引っ張るようにすると、両者は図５の(ｂ)に示したように、スライドして嵌合し、挟持部材２１と２２の側に形成された係止突起２１ｂ、２２ｂがホルダー部２５ａに設けた係合孔２５ｄ、２５ｅが当接するので、さらに力を加えて押し込むと、取付手段２の挟持部材２１、２２に設けた係止突起２１ｂ、２２ｂが延長部２５ｂのホルダー部２５ａに設けた係合孔２５ｄ、２５ｅに嵌まり込み、図５の(ｃ)に示したように、両者の係合固定が終了する。
【００２６】
この際に、図５に示したように、係合ガイド凸条部２ａにはテーパーが付けられているので、係合ガイド溝部２５ｃと係合ガイド凸条部２ａの係合状態は、ガタの生じないしっかりとした係合状態となる。この係合操作終了後に、締付けネジ２ｃを締め付けると、シャベル用補助具１は強固にシャベル５の柄部５１に取り付けられる。なお、取付手段２の構成は、実施例のものに限定されず、他の実施例が考えられる。例えば取付手段２は、挟持部材２１、２２と延長部材２５に分離して構成されることなく一体であってもよく、さらにシャベル５が雪掻き専用のシャベルであれば、最初から取付手段２をシャベル５の柄部５１に固着してしまっても良い。この場合には、上記取付手順は不要になる。取付手段２が上記したようにシャベル５の柄部５１に対し着脱可能であると、不使用時には取り外しておいて通常のシャベルとして用いることができ、さらに他のシャベルへ取り付けて用いることができる。
【００２７】
このシャベル用補助具１を取り付けたシャベル５の使用方法について説明する。まず、雪掻きをする場合には、図９に示したように、作業者７が本発明に係るシャベル用補助具１を取り付けたシャベル５を用い、右手で柄部５１の手持ち部５３を持ち、左手の方で引きベルト３の第２ベルト３２に設けた巻付け握り部３２ａを図８に示したように左腕の手首に巻き付けつつ手で握り、腰を伸ばしたままで雪と地面の間に掬い部５２を差し込む。或は積雪が高い場合には雪の間に差し込む。次いで、掬い部５２で雪ａが掬えたら、図１０に示したように、手持ち部５３と引きベルト３を握ったままの状態で、しかも腰を伸ばしたままで両手を曲げてシャベル５を持ち上げ、そのままの姿勢で両腕を水平方向へ振って掬い部５２を移動させ、引きベルト３を下げるか、或は手持ち部５３側をさらに上げるか、或は前記動作を同時に行うかして掬い部５２上の雪を左右に放り投げるかすすると、腰を伸ばしたままで雪掻き作業を行うことができるものである。地上に堆積した雪以外の落ち葉などの堆積物をシャベル５を用いて片付ける際にも同じようにして腰を伸ばしたままで片付け作業を行うことができる。掬い部５２上に乗せた雪や堆積物を左右に投棄するか、或は運搬車両の荷台に積み上げるかなど、どのように片付けるかは、その場の状況によるが、要するに本願発明に係るシャベル用補助具１を取り付けたシャベル５を用いると、腰の曲げ伸ばし動作が大幅に減少するので、腰や背中に負担がかかることを防止することができるものである。
【００２８】
引きベルト３に長さ調節手段６を設けると、作業者７各自の体形や腕の長さによって、長さを調節することができることから便利である。また、本発明に係るシャベル用補助具１は、これを予めシャベル５の柄部５１に固定させてしまっても良いが、実施例に示したもののように、取付手段２をシャベル５の柄部５１に対して着脱可能に構成すると、上記したように、シャベル用補助具１を単独で購入して種々なシャベル５に取り付け、必要のない場合に取り外しておくことができることから、有用性を増すものである。
【００２９】
図８は、引きベルト３の第２ベルト３２に設けた巻付け握り部３２ａを左手の側に取り付ける場合を示し、図示したように巻付け握り部３２ａを手首に巻いて第２ベルト３２を手で握ると、力が入り易く作業がし易くなるという利点がある。巻付け握り部３２ａに手を通す際に、右利きの人は前記のようにその左手を巻付け握り部３２ａに通して把持し、左利きの人はその右手を巻付け握り部３２ａに通して把持する。
【００３０】
尚、本発明は上記実施形態に限定されるものでなく、例えば、取付手段２やこれを構成する一対の挟持部材２１、２２、ホルダー部２５ａ、引きベルト３の形状、サイズ等は、上記したように、適宜設計変更することが可能であり、したがって、本発明は上記説明から当業者が容易に想到し得るすべての変更実施例を包摂するものである。
【産業上の利用可能性】
【００３１】
以上詳細に説明したように、本発明に係るシャベル用補助具は、既存のシャベルをはじめ、様々なシャベルに取り付けることができ、このシャベル用補助具を取り付けたシャベルを用いると、雪掻きや、その他の地上に堆積した堆積物を片付ける際に、腰を伸ばした状態で作業ができることから、腰や背中、さらには肩にかかる負担を大幅に軽減できる道具として好適に用いられるものである。
【符号の説明】
【００３２】
ａ        雪
１        シャベル用補助具
２        取付手段
２ａ      係合ガイド凸条部
２ｂ      締付手段
２ｃ      締付ネジ
２ｄ      ナット
２１、２２  挟持部材
２１ａ、２２ａ  湾曲凹部
２１ｂ、２２ｂ  係止突起
２３      取付部
２５      延長部材
２５ａ    ホルダー部
２５ｂ    延長部
２５ｃ    係合ガイド溝部
２５ｄ、２５ｅ    係合孔
２５ｆ    先端取付部
２５ｇ    係止ピン
２６、２７  パッキング
３        引きベルト
３１      第１ベルト
３１ａ    一端部
３１ｂ    他端部
３２      第２ベルト
３２ａ    巻付け握り部
３２ｂ    カバー
３２ｃ    挿通係合部
３２ｄ    一端部
３３      係止バンド
４        連結手段
４ａ      枠体
４ｂ      連結ピン
４ｃ      下部枠部材
４ｄ      上部枠部材
５        シャベル
５１      柄部
５２      掬い部
５２ａ    歯部
５３      手持ち部
６        長さ調節手段
７        作業者
【図１】
2018145625.tif 000003
【図２】
2018145625.tif 000004
【図３】
2018145625.tif 000005
【図４】
2018145625.tif 000006
【図５】
2018145625.tif 000007
【図６】
2018145625.tif 000008
【図７】
2018145625.tif 000009
【図８】
2018145625.tif 000010
【図９】
2018145625.tif 000011
【図１０】
2018145625.tif 000012
【手続補正書】
【提出日】平成29年3月14日(2017.3.14)
【手続補正１】
【補正対象書類名】図面
【補正対象項目名】図７
【補正方法】変更
【補正の内容】
【図７】
2018145625.tif 000013
【手続補正２】
【補正対象書類名】図面
【補正対象項目名】図８
【補正方法】変更
【補正の内容】
【図８】
2018145625.tif 000014
【手続補正書】
【提出日】平成30年3月9日(2018.3.9)
【手続補正１】
【補正対象書類名】明細書
【補正対象項目名】０００６
【補正方法】変更
【補正の内容】
【０００６】
上記の課題を解決するため、請求項１に係るシャベル用補助具は、シャベルの柄部へ取り付けられる取付手段と、この取付手段に取り付けられる引きベルトとから成り、前記取付手段は、前記シャベルの柄部に着脱可能に取り付けられる取付部と、この取付部から前記シャベルの掬い部内に達する延長部材とを有するものとし、前記引きベルトは、長さ調節手段を備えると共に、一端部側を前記延長部材の先端側へ取り付け、他端部側に手首に巻き付けて握ることのできる巻付け握り部が設けられたものとし、前記取付部は、前記シャベルの柄部へ挟持固定される一対の挟持部材とし、前記延長部材は、前記掬い部内に達し先端に前記引きベルトを取り付ける延長部と前記挟持部材へ取り付けられるホルダー部を有するものとしたことを特徴とする。
【手続補正２】
【補正対象書類名】明細書
【補正対象項目名】０００７
【補正方法】削除
【補正の内容】
【手続補正３】
【補正対象書類名】明細書
【補正対象項目名】００１１
【補正方法】変更
【補正の内容】
【００１１】
さらに、前記第２ベルトの表面側が手首にやさしい軟質材料で覆われていることを特徴とする。
【手続補正４】
【補正対象書類名】特許請求の範囲
【補正対象項目名】全文
【補正方法】変更
【補正の内容】
【特許請求の範囲】
【請求項１】
シャベルの柄部へ取り付けられる取付手段と、この取付手段に取り付けられる引きベルトとから成り、
前記取付手段は、前記シャベルの柄部に着脱可能に取り付けられる取付部と、この取付部から前記シャベルの掬い部内に達する延長部材とを有するものとし、
前記引きベルトは、長さ調節手段を備えると共に、一端部側を前記延長部材の先端側へ取り付け、他端部側に手首に巻き付けて握ることのできる巻付け握り部が設けられたものとし、
前記取付部は、前記シャベルの柄部へ挟持固定される一対の挟持部材とし、
前記延長部材は、前記掬い部内に達し先端に前記引きベルトを取り付ける延長部と前記挟持部材へ取り付けられるホルダー部を有するものとしたことを特徴とする、シャベル用補助具。
【請求項２】
前記延長部材の先端は、前記掬い部の中央部より手前で柄部より前記掬い部の中央部側に位置することを特徴とする、請求項１に記載のシャベル用補助具。
【請求項３】
前記各挟持部材は、組み合わさることによって係合ガイド凸条部が形成されると共に、一対の係止突起が設けられ、前記ホルダー部には前記係合ガイド凸条部とスライド係合する係合ガイド溝部と前記係止突起に係合される係合孔が設けられていることを特徴とする、請求項１に記載のシャベル用補助具。
【請求項４】
前記引きベルトは、前記延長部材側に取り付けられる第１ベルトと、この第１ベルトに連結手段を介して連結されるところの前記巻付け握り部を設けた第２ベルトとで構成し、前記第１ベルト及び又は第２ベルトには長さ調節手段が設けられていることを特徴とする、請求項１乃至３のいずれか１項に記載のシャベル用補助具。
【請求項５】
前記第２ベルトは表面側が手首にやさしい軟質材料で覆われていることを特徴とする、請求項１乃至４のいずれか１項に記載のシャベル用補助具。
【請求項６】
前記請求項１乃至５のいずれか１項に記載のシャベル用補助具を備えたことを特徴とする、シャベル。